(57)【要約】【課題】目的とする音源から最適な状態で音声入力を行えるようにした携帯端末装置を提供する。【解決手段】携帯端末１には、異なる位置にＭ個（Ｍは２以上の整数）のマイクロホン１１ａ〜１１ｆが配設されており、この複数のマイクロホン１１ａ〜１１ｆからの音声信号は、マイクロホン入力部６１、マイクロホン切替部６２を介して、音響処理部３６に入力される。マイクロホン切替部６２は、設定機能アプリケーション及び音響処理アプリケーションに応じて、Ｍ個の音声入力からＮチャネル（Ｍ≧Ｎ）を選択して切り替える。【選択図】図３
2009239806.tif 000002
【特許請求の範囲】
【請求項１】
異なる位置に配置されたＭ個（Ｍは２以上の整数）のマイクロホンと、
設定機能アプリケーションに応じて、前記Ｍ個のマイクロホンの中からＮチャネル（Ｍ≧Ｎ）の音声入力を選択して切り替えるマイクロホン切替部と、
を備えたことを特徴とする携帯端末装置。
【請求項２】
前記設定機能アプリケーションが音声通話のアプリケーションの場合には、通常の音声通話で雑音抑圧アプリケーションにより周辺雑音の除去を行い、ユーザの口元に来るマイクロホンを音声の集音用とし、他のマイクロホンを周辺ノイズの集音用とすることを特徴とする請求項１に記載の携帯端末装置。
【請求項３】
前記設定機能アプリケーションがビデオ撮影のアプリケーションの場合には、音源分離アプリケーションにより、どの位置のマイクロホンが主音となるかを判定し、主音と判断されたマイクロホンを音声の集音用とし、他のマイクロホンを周辺ノイズの集音用とすることを特徴とする請求項１に記載の携帯端末装置。
【請求項４】
前記設定機能アプリケーションがブラウジングトークのアプリケーションの場合には、音源分離アプリケーションにより、どの位置のマイクロホンが主音となるかを判定し、主音と判断されたマイクロホンを音声の集音用とし、他のマイクロホンを周辺ノイズの集音用とし、さらに、集音用としたマイクロホンに対して、エコー抑圧アプリケーションによりエコーを除去することを特徴とする請求項１に記載の携帯端末装置。
【請求項５】
異なる位置にＭ個（Ｍは２以上の整数）のマイクロホンを配置し、
設定機能アプリケーション及び音響処理アプリケーションに応じて、前記Ｍ個のマイクロホンからＮチャネル（Ｍ≧Ｎ）の音声入力を切り替えることを特徴とする携帯端末の音声入力方法。
【請求項６】
異なる位置にＭ個（Ｍは２以上の整数）のマイクロホンを配置し、設定機能アプリケーションに応じて、前記Ｍ個のマイクロホンからＮチャネル（Ｍ≧Ｎ）の音声入力を切り替える携帯端末の音声入力方法をコンピュータに実行させるための携帯端末の音声入力プログラムであって、
設定機能アプリケーションを判定するステップと、
前記設定機能アプリケーションに応じて、音響処理アプリケーションを設定するステップと、
前記設定機能アプリケーション及び前記音響処理アプリケーションに応じて、前記Ｍ個のマイクロホンからの音声入力を切り替えるステップと、
をコンピュータに実行させるための携帯端末の音声入力プログラム。
【発明の詳細な説明】
【技術分野】
【０００１】
本発明は、通常の音声通話の他、カメラを利用したビデオ撮影、画面を見ながらのブラウジングトーク等が行える携帯端末装置、携帯端末の音声入力方法、音声入力プログラムに関する。
【背景技術】
【０００２】
近年の携帯端末は多機能化が図れられており、通常の音声通話の他、カメラを利用したビデオ撮影、テレビ電話のような画面を見ながらのブラウジングトーク等が行えるものが登場してきている。通常の音声通話だけを行う従来の携帯端末では、専ら携帯端末をハンドセットと同様に扱われるため、例えば特許文献１に示すように、音声入力は、携帯端末の下部に配設された１つのマイクロホンに限られている。しかしながら、このような多機能化が図れられた携帯端末では、携帯端末の下部のマイクロホンが音声入力として常に最適であるとは限らない。
【０００３】
例えば、ビデオ撮影では、携帯端末の反対側に配置されたカメラを被写体に向けて撮影を行っており、携帯端末の下部のマイクロホンでは、被写体の音源方向にマイクロホンを向けることができない。このため、携帯端末の機能や音源の位置に応じて、最適な状態で音声入力を行えるようにしたものが要望されている。
【０００４】
なお、録音装置においては、例えば、特許文献２に記載されているように、指向性の特性の異なる２つのマイクロホンを設け、特定の方向からの音源と全体の方向からの音源とに応じて、２つのマイクロホンを使い分けることが記載されている。しかしながら、特許文献２に記載されているものは、録音機において、録音モードに応じて２つのマイクロホンを切り替えるものであり、携帯端末での使用を考慮されたものではない。
【特許文献１】特開２００７−１３４７５９号公報
【特許文献２】特開平１１−２４３５９７号公報
【発明の開示】
【発明が解決しようとする課題】
【０００５】
上述のように、通常の音声通話の他、カメラを利用したビデオ撮影、ブラウジングトーク等が行える携帯端末では、携帯端末の下部の１つのマイクロホンだけでは、満足な音声入力を行えない。このため、複数のマイクロホンを用意し、携帯端末の機能や音源の位置に応じて、最適な状態で音声入力を行えるようにすることが要望される。
【０００６】
そこで、本発明は、上述の課題を鑑みてなされたものであり、目的とする音源から最適な状態で音声入力を行えるようにした携帯端末装置、携帯端末の音声入力方法、音声入力プログラムを提供することを目的とする。
【課題を解決するための手段】
【０００７】
本発明は、上述の課題を鑑みて、以下の事項を提案している。
【０００８】
（１）本発明は、異なる位置に配置されたＭ個（Ｍは２以上の整数）のマイクロホンと、設定機能アプリケーションに応じて、Ｍ個のマイクロホンの中からＮチャネル（Ｎは整数、Ｍ≧Ｎ）の音声入力を選択して切り替えるマイクロホン切替部とを備えたことを特徴とする携帯端末装置を提案している。
【０００９】
本発明によれば、異なる位置に配置されたＭ個のマイクロホンの中から、携帯端末の機能や音源の位置に応じたマイクロホンを選択して切り替えることで、最適な状態で音声入力を行える。
【００１０】
（２）本発明は、（１）の携帯端末装置において、設定機能アプリケーションが音声通話のアプリケーションの場合には、通常の音声通話で雑音抑圧アプリケーションにより周辺雑音の除去を行い、ユーザの口元に来るマイクロホンを音声の集音用とし、他のマイクロホンを周辺ノイズの集音用とすることを特徴とする携帯端末装置を提案している。
【００１１】
本発明によれば、設定機能アプリケーションが音声通話のアプリケーションの場合には、異なる位置に配置されたＭ個のマイクロホンの中から、ユーザの口元に来るマイクロホンを音声の集音用として選択することで、最適な状態で音声入力を行える。
【００１２】
（３）本発明は、（１）の携帯端末装置において、設定機能アプリケーションがビデオ撮影のアプリケーションの場合には、音源分離アプリケーションにより、どの位置のマイクロホンが主音となるかを判定し、主音と判断されたマイクロホンを音声の集音用とし、他のマイクロホンを周辺ノイズの集音用とすることを特徴とする携帯端末装置を提案している。
【００１３】
本発明によれば、設定機能アプリケーションがビデオ撮影の場合には、異なる位置に配置されたＭ個のマイクロホンの中から、音源分離アプリケーションにより、主音と判定されたマイクロホンを音声の集音用として選択することで、最適な状態で音声入力を行える。
【００１４】
（４）本発明は、（１）の携帯端末装置において、設定機能アプリケーションがブラウジングトークのアプリケーションの場合には、音源分離アプリケーションにより、どの位置のマイクロホンが主音となるかを判定し、主音と判断されたマイクロホンを音声の集音用とし、他のマイクロホンを周辺ノイズの集音用とし、さらに、集音用としたマイクロホンに対して、エコー抑圧アプリケーションによりエコーを除去することを特徴とする携帯端末装置を提案している。
【００１５】
本発明によれば、設定機能アプリケーションがブラジングトークの場合には、異なる位置に配置されたＭ個のマイクロホンの中から、音源分離アプリケーションにより、主音と判定されたマイクロホンを音声の集音用として選択することで、最適な状態で音声入力を行える。
【００１６】
（５）本発明は、異なる位置にＭ個（Ｍは２以上の整数）のマイクロホンを配置し、設定機能アプリケーション及び音響処理アプリケーションに応じて、Ｍ個のマイクロホンからＮチャネル（Ｍ≧Ｎ）の音声入力を切り替えることを特徴とする携帯端末の音声入力方法を提案している。
【００１７】
本発明によれば、異なる位置に配置されたＭ個のマイクロホンの中から、携帯端末の機能や音源の位置に応じたマイクロホンを選択して切り替えることで、最適な状態で音声入力を行える。
【００１８】
（６）本発明は、異なる位置にＭ個（Ｍは２以上の整数）のマイクロホンを配置し、設定機能アプリケーションに応じて、前記Ｍ個のマイクロホンからＮチャネル（Ｍ≧Ｎ）の音声入力を切り替える携帯端末の音声入力方法をコンピュータに実行させるための携帯端末の音声入力プログラムであって、設定機能アプリケーションを判定するステップと、前記設定機能アプリケーションに応じて、音響処理アプリケーションを設定するステップと、前記設定機能アプリケーション及び前記音響処理アプリケーションに応じて、前記Ｍ個のマイクロホンからの音声入力を切り替えるステップと、をコンピュータに実行させるための携帯端末の音声入力プログラムを提案している。
【００１９】
本発明によれば、異なる位置に配置されたＭ個のマイクロホンの中から、携帯端末の機能や音源の位置に応じたマイクロホンを選択して切り替えることで、最適な状態で音声入力を行える。
【発明の効果】
【００２０】
本発明によれば、異なる位置にＭ個（Ｍは２以上の整数）のマイクロホンが配置されており、この複数のマイクロホンからの音声信号は、設定機能アプリケーションに応じて、選択して切り替えられる。これにより、各設定アプリケーション毎に、目的とする音源から最適な状態で音声入力を行える。
【発明を実施するための最良の形態】
【００２１】
以下、本発明の実施の形態について図面を参照しながら説明する。なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００２２】
図１は、本発明が適用できる携帯端末１の外観構成を示すものである。この例では、携帯端末１は折り畳み自在の構造となっており、図１（Ａ）は、携帯端末１の内側となる部分（キーパッド面）の各部の配置を示し、図１（Ｂ）は、外側となる各部（バッテリー面）の配置を示すものである。
【００２３】
図１（Ａ）に示すように、携帯端末１の内側には、３つのマイクロホン１１ａ〜１１ｃが配置される。携帯端末１の内側となる部分の上端には、レシーバ１２が配置される。
【００２４】
また、携帯端末１の内側となる部分の上方には、液晶ディスプレイ１３が配置される。液晶ディスプレイ１３には、各種の文字や画像が表示される。すなわち、電話利用時には、液晶ディスプレイ１３に、着信や送信の電話番号や住所録が表示される。
【００２５】
また、インターネットを利用時には、液晶ディスプレイ１３に、インターネットのウェブ画面や、送受信メールが表示される。また、カメラ撮影時には、液晶ディスプレイ１３がビューファインダとして用いられる他、撮影したカメラ画像が液晶ディスプレイ１３に表示される。
【００２６】
携帯端末１の内側となる部分の下方には、テンキー（＊キーや＃キーを含む）１４、カーソルキー１５、決定キー１６、発着信キー１７ａ、１７ｂ等が配置される。テンキー１４は、電話番号の入力、メールや電話帳作成時の文字入力等に用いられる。カーソルキー１５は、液晶ディスプレイ１３に表示されるカーソルを移動させて、各種の選択入力等を行うのに用いられる。決定キー１６は、選択実行を行うのに用いられる。発着信キー１７ａ、１７は、電話回線での発着信を行うのに用いられる。また、スピーカ１９は、ブラウジングトーク利用時に通話の相手の音声を再生するのに用いられる。
【００２７】
携帯端末１の外側には、図２（Ｂ）に示すように、３つのマイクロホン１１ｄ〜１１ｆと、カメラ部１８とが配置される。カメラ部１８は、静止画やビデオ撮影に利用される。
【００２８】
図２は、本発明が適用できる携帯端末１の主要部の内部構成を示すものである。図２において、主制御部２１は、ＣＰＵ(Ｃｅｎｔｒａｌ
Ｐｒｏｃｅｓｓｉｎｇ Ｕｎｉｔ)等からなり、携帯端末の全体の動作の制御を行っている。
【００２９】
プロラムメモリ２２には、ブートプログラム、基本プログラム、音声通話アプリケーション、ビデオ撮影アプリケーション、ブラウジングトークアプリケーション等各種のアプリケーションプログラムが保存されている。
【００３０】
メモリ２３には、各種のプリセットデータ、電話帳データ、メールのデータ、電話履歴、位置履歴、行動履歴、写真情報等、各種のデータが記憶される。
【００３１】
大容量メモリ２４は、フラッシュメモリ等からなり、ＧＰＳナビゲーションに使う地図情報等や動画情報等が記憶される。
【００３２】
操作部２７は、ユーザからの入力操作が行われる。操作部２７には、テンキー１４や、カーソルキー１５、決定キー１６、発着信キー１７ａ、１７ｂ等が含まれる。
【００３３】
近距離通信部２８は、他の周辺機器との無線で接続してデータの送受信を行うものである。通信方式としては、例えば、Ｂｌｕｅｔｏｏｔｈ（登録商標）が用いられる。
【００３４】
表示部２９は、液晶ディスプレイ１３（図１参照）からなり、表示部２９は、各種の文字や画像の表示に用いられる。表示処理部３０は、表示部２９の表示制御を行っている。
【００３５】
音響処理部３６は、入力音声信号や出力音声信号の処理を行っている。音響処理部３６に対して、複数のマイクロホン１１ａ〜１１ｆ、レシーバ１２及びスピーカ１９が設けられる。音響処理部３６は、例えば、ＤＳＰ（Ｄｉｇｉｔａｌ
Ｓｉｇｎａｌ Ｐｒｏｃｅｓｓｏｒ)から構成されており、音響処理アプリケーションとして、雑音抑圧アプリケーションと、音源分離アプリケーションと、エコー抑圧アプリケーションと、エコライザアプリケーション等が実現できる。
【００３６】
雑音抑圧アプリケーションは、周辺雑音の抑圧と除去を行うためのアプリケーションである。音源分離アプリケーションは、目的音の方向特定とその収録を行うためのアプリケーションである。エコー抑圧アプリケーションは、通話に支障を与えるエコーを抑圧するためのアプリケーションである。エコライザアプリケーションは、音声や声質等を調整するためのアプリケーションである。
【００３７】
無線部３３は、基地局との間で、電波の送受信を行うものである。通信方式としては、どのような通信方式を用いても良い。通信制御部３４は、基地局との間で通信する信号の制御を行っている。
【００３８】
カメラ部１８は、カメラ撮影を行うものである。カメラ部１８には、レンズ等の光学系３７と、ＣＣＤ（Ｃｈａｒｇｅ
Ｃｏｕｐｌｅｄ Ｄｅｖｉｃｅ）等のイメージセンサからなる撮像部３８とが含まれる。カメラ部１８に対して、イメージセンサの撮像信号を処理する映像信号処理部３９が設けられる。
【００３９】
ＧＰＳ機能部４１は、複数の衛星からの電波を受信して、現在地を即位するものである。ＲＦＩＤリーダ４２は、電子マネー等を利用する場合に、近距離通信を行うものである。
【００４０】
上述のように、本発明の実施形態の携帯端末では、カメラ部１８が設けられており、通常の音声通話の他、カメラを利用したビデオ撮影、画面を見ながらのブラウジングトークを行うことができる。
【００４１】
また、本発明の実施形態の携帯端末では、その内側にマイクロホン１１ａ〜１１ｃが配設され、その外側にマイクロホン１１ｄ〜１１ｆが配設されている。これら複数のマイクロホン１１ａ〜１１ｆは、携帯端末の設定機能アプリケーションに応じて、どのマイクロホンを使うのかが切り替えられる。
【００４２】
つまり、図３は、本発明の実施形態の機能ブロック図を示すものである。図３に示すように、携帯端末１には、異なる位置にＭ個（Ｍは２以上の整数であり、ここでは６個）のマイクロホン１１ａ〜１１ｆが配設されており、この複数のマイクロホン１１ａ〜１１ｆからの音声信号は、マイクロホン入力部６１、マイクロホン切替部６２を介して、音響処理部３６に入力される。マイクロホン切替部６２は、設定機能アプリケーション及び音響処理アプリケーションに応じて、Ｍ個の音声入力からＮチャネル（Ｍ≧Ｎ）を選択して切り替える。
【００４３】
音響処理部３６は、音響アプリケーションとして、雑音抑圧アプリケーションＡ１と、音源分離アプリケーションＡ２と、エコー抑圧アプリケーションＡ３と、エコライザアプリケーションＡ４等が実現できる。
【００４４】
主制御部２１は、通常の音声通話アプリケーションＢ１の他、カメラ部１８を利用したビデオ撮影のアプリケーションＢ２、画面を見ながらのブラウジングトークのアプリケーションＢ３等の設定機能アプリケーションが行うことができる。
【００４５】
主制御部２１により設定機能アプリケーションが設定されると、これに応じて、音響処理部３６に対する音響条件が指定され、音響処理部３６で行う音響処理アプリケーションが設定され、マイクロホン入力部６１及びマイクロホン切替部６２が制御される。
【００４６】
例えば、設定機能アプリケーションが通常の音声通話のアプリケーションＢ１の場合には、通話している利用者の音声を鮮明に収録でき、利用者以外の音声や周辺雑音を除去することが望まれる。そのためには、音響アプリケーションを雑音抑圧アプリケーションＡ１として周辺雑音の除去を行うことが有効である。そこで、通常の音声通話で雑音抑圧アプリケーションにより周辺雑音の除去を行う場合には、ユーザの口元に来るマイクロホン１１ａを音声の集音用とし、他のマイクロホン（１又は複数）を周辺ノイズの集音用とする。
【００４７】
設定機能アプリケーションがカメラを利用したビデオ撮影のアプリケーションＢ２の場合には、ビデオ撮影の被写体の音声を鮮明に収録できることが望まれる。そのためには、雑音抑圧アプリケーションＡ１を使って、周辺雑音の除去を行うことが有効である。また、音源分離アプリケーションＡ２により、目的音の方向を特定し、カメラ方向に搭載されている複数のマイクロホンのうち目的とする方向に向けられたマイクロホンを収録に利用することが望まれる。
【００４８】
そこで、ビデオ撮影では、音源分離アプリケーションＡ２により、どの位置のマイクロホンが主音となるかを判定する。そして、雑音抑圧アプリケーションＡ１で周辺雑音の除去を行う場合には、マイクロホン１１ａ〜１１ｆのうち、主音と判断されたマイクロホンを音声の集音用とし、他のマイクロホン（１又は複数）を周辺ノイズの集音用とする。
【００４９】
設定機能アプリケーションがブラウジングトークのアプリケーションＢ３の場合には、通話している利用者の音声を鮮明に収録できることが望まれる。そのためには、雑音抑圧アプリケーションＡ１で周辺雑音の除去を行うことが有効である。また、ブラウジングトークのアプリケーションＢ３の場合には、携帯端末１のスピーカ１９から出力される通話相手の音声が回り込んで通話機能に影響を及ぼさないことが望まれる。
【００５０】
そのためには、エコー抑圧アプリケーションＡ３が有効である。また、音源分離アプリケーションＡ２により、目的音の方向特定し、カメラ方向に搭載されている複数のマイクロホンのうち目的とする方向に向けられたものを集音用にすることが望まれる。そこで、ブラウジングトークのアプリケーションＢ３では、音源分離アプリケーションＡ２により、どの位置のマイクロホンが主音となるかを判定する。
【００５１】
そして、雑音抑圧アプリケーションＡ１で周辺雑音の除去を行う場合には、マイクロホン１１ａ〜１１ｆのうち、主音と判断されたマイクロホンを音声の集音用とし、他のマイクロホン（１又は複数）を周辺ノイズの集音用とする。そして、集音用としたマイクロホンに対して、エコー抑圧アプリケーションＡ３を用いる。
【００５２】
図４は、本発明の実施形態の処理を示すフローチャートである。
図４において、主制御部２１は、設定機能アプリケーションが通常の音声通話のアプリケーションＢ１かどうかを判断し（ステップＳ１）、設定機能アプリケーションが通常の音声通話のアプリケーションＢ１なら、主制御部２１は音響処理部３６の音響アプリケーションを雑音抑圧アプリケーションＡ１に設定し（ステップＳ２）、ユーザの口元に来るマイクロホン１１ａを音声の集音用とし、他のマイクロホンを周辺ノイズの集音用とする（ステップＳ３）。
【００５３】
設定機能アプリケーションが音声通話ではない場合には、主制御部２１は、設定機能アプリケーションがビデオ撮影のアプリケーションＢ２かどうかを判断する（ステップＳ４）。設定機能アプリケーションがビデオ撮影のアプリケーションＢ２なら、主制御部２１は音響処理部３６の音響アプリケーションを音源分離アプリケーションＡ２に設定し、どの位置に主音となる音源があるかを判定する（ステップＳ５）。
【００５４】
そして、音響処理部３６の音響アプリケーションを雑音抑圧アプリケーションＡ１に設定し（ステップＳ６）、マイクロホン１１ａ〜１１ｆのうち、主音と判断されたマイクロホンを音声の集音用とし、他のマイクロホンを周辺ノイズの集音用とする（ステップＳ７）。
【００５５】
設定機能アプリケーションがビデオ撮影でない場合には、主制御部２１は、設定機能アプリケーションがブラウジングトークのアプリケーションＢ３かどうかを判断する（ステップＳ８）。設定機能アプリケーションがブラウジングトークのアプリケーションＢ３なら、主制御部２１は音響処理部３６の音響アプリケーションを音源分離アプリケーションＡ２に設定し（ステップＳ９）、どの位置に主音となる音源があるかを判定する。
【００５６】
そして、音響処理部３６の音響アプリケーションを雑音抑圧アプリケーションＡ１に設定し（ステップＳ１０）、マイクロホン１１ａ〜１１ｆのうち、主音と判断されたマイクロホンを音声の集音用とし、他のマイクロホンを周辺ノイズの集音用とし（ステップＳ１１）、さらに、音響処理部３６の音響アプリケーションとしてエコー抑圧アプリケーションＡ３を動作させ（ステップＳ１２）、エコー抑圧処理を行う。
【００５７】
なお、上述の例では、折り畳み型の携帯端末の内側に３つのマイクロホン１１ａ〜１１ｃを配置し、携帯端末１の外側には、３つのマイクロホン１１ｄ〜１１ｆを配置したが、本発明は、２つ以上のマイクロホンをどのように配置しても良い。
【００５８】
図５は、折り畳み型の携帯端末でのマイクロホン１１の配置例である。図６はスライド型の携帯端末でのマイクロホン１１の配置例である。図７はストレート型の携帯端末でのマイクロホン１１の配置例である。その他、各種のマイクロホンの配置が考えられる。
【００５９】
以上説明したように、本発明の実施形態では、異なる位置に複数のマイクロホンを配置し、設定機能アプリケーションに応じて、複数のマイクロホンからの音声入力を切り替えるようにしている。これにより、目的とする音源から最適な状態で、音声入力を行うことができる。
【００６０】
本発明は、上述した実施形態に限定されるものではなく、この発明の要旨を逸脱しない範囲内で様々な変形や応用が可能である。
【００６１】
なお、ソースとなるアプリケーションプログラムや音響処理アプリケーションプログラムは、フレキシブルディスク、光磁気ディスク、ＲＯＭ、ＣＤ−ＲＯＭ等の可搬媒体等のコンピュータ読み取り可能な記録媒体で提供される。また、ソースとなるプログラムは、コンピュータシステムから、伝送媒体を介して、あるいは、伝送媒体中の伝送波により他のコンピュータシステムに伝送されても良い。
【００６２】
ここで、プログラムを伝送する「伝送媒体」は、インターネット等のネットワーク（通信網）や電話回線等の通信回線（通信線）のように情報を伝送する機能を有する媒体のことをいう。また、ソースとなるプログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【図面の簡単な説明】
【００６３】
【図１】本発明の実施形態の携帯端末の外観構成の説明に用いる正面図及び背面図である。
【図２】本発明の実施形態の携帯端末の内部構成の説明に用いるブロック図である。
【図３】本発明の実施形態の携帯端末の音声入力の説明に用いる機能ブロック図である。
【図４】本発明の実施形態の携帯端末の音声入力の説明に用いるフローチャートである。
【図５】本発明の実施形態の携帯端末におけるマイクロホンの配置の説明図である。
【図６】本発明の実施形態の携帯端末におけるマイクロホンの配置の説明図である。
【図７】本発明の実施形態の携帯端末におけるマイクロホンの配置の説明図である。
【符号の説明】
【００６４】
１：携帯端末
１１、１１ａ〜１１ｆ：マイクロホン
１２：レシーバ
１８：カメラ部
１９：スピーカ
２１：主制御部
６１：マイクロホン入力部
６２：マイクロホン切替部
【図１】
2009239806.tif 000003
【図２】
2009239806.tif 000004
【図３】
2009239806.tif 000005
【図４】
2009239806.tif 000006
【図５】
2009239806.tif 000007
【図６】
2009239806.tif 000008
【図７】
2009239806.tif 000009